(57)【特許請求の範囲】
【請求項１】
室内床に設けられた床暖房パネルと、該床暖房パネルを加熱する加熱手段と、室内温度を検出する室温検出手段と、床温度を検出する床温検出手段と、室内温度の目標値を設定する目標室温設定手段と、前記室温検出手段によって検出された室内温度が該目標室温設定手段によって設定された目標室温及びその近傍に維持されるように前記加熱手段を制御する室温制御手段とを備える床暖房装置において、
床温度の目標値を設定する目標床温設定手段と、前記床温検出手段によって検出された床温度が該目標床温設定手段によって設定された目標床温及びその近傍に維持されるように前記加熱手段を制御する床温制御手段と、室温制御手段による制御又は床温制御手段による制御の何れか一方を選択する制御選択手段とを設け、
該制御選択手段は、他の室内暖房装置の運転を検出する暖房運転検出手段を備え、該暖房運転検出手段によって他の室内暖房装置の運転が検出されたとき前記床温制御手段による制御を選択し、該暖房運転検出手段によって他の室内暖房装置の運転が検出されなかったとき前記室温制御手段による制御を選択することを特徴とする床暖房装置。
【請求項２】
室内床に設けられた床暖房パネルと、該床暖房パネルを加熱する加熱手段と、室内温度を検出する室温検出手段と、床温度を検出する床温検出手段と、室内温度の目標値を設定する目標室温設定手段と、前記室温検出手段によって検出された室内温度が該目標室温設定手段によって設定された目標室温及びその近傍に維持されるように前記加熱手段を制御する室温制御手段とを備える床暖房装置において、
床温度の目標値を設定する目標床温設定手段と、前記床温検出手段によって検出された床温度が該目標床温設定手段によって設定された目標床温及びその近傍に維持されるように前記加熱手段を制御する床温制御手段と、室温制御手段による制御又は床温制御手段による制御の何れか一方を選択する制御選択手段とを設け、
該制御選択手段は、前記室温検出手段により検出された室温と目標室温とを比較して、室温が目標室温以上であるときと、室温が目標室温より低く且つ室温と目標室温との差が所定値より小であるときとにおいては前記床温制御手段による制御を選択し、室温が目標室温より低く且つ室温と目標室温との差が所定値以上であるとき前記室温制御手段による制御を選択し、更に、該制御選択手段は、前記室温検出手段によって検出される室温から所定時間内における室温の上昇速度を算出する演算手段を備え、該演算手段によって算出された室温の上昇速度と所定の速度とを比較して、室温の上昇速度が所定の速度より大であるとき前記床温制御手段による制御を選択し、室温の上昇速度が所定の速度以下であるとき前記室温制御手段による制御を選択することを特徴とする床暖房装置。
【請求項３】
前記床温制御手段による制御が行われ、前記床温検出手段によって検出された床温度が所定温度以上となったとき、前記制御選択手段は前記室温制御手段による制御を選択することを特徴とする請求項２記載の床暖房装置。
【発明の詳細な説明】
【０００１】
【発明の属する技術分野】
本発明は、室内床に設けられた床暖房パネルの輻射熱によって暖房を行う床暖房装置に関する。
【０００２】
【従来の技術】
この種の床暖房装置は、室内に敷設した床暖房パネルを加熱手段により加熱して、床からの輻射熱によって室内の暖房を行うものである。従来、この種の床暖房装置においては、特開平５−１６４３３５号公報に見られるように、床暖房パネルが設置された室内に室温センサを設け、暖房運転時に該室温センサによって検出された室温が目標室温となるように制御するものが知られている。
【０００３】
しかし、この種の床暖房装置において、前記室温センサによって検出された室温に基づく制御を行うと、ファンヒータ等の他の室内暖房装置を併用した場合に、床温の上昇よりも室温の上昇が先行し、床温が低いにも関わらず、床暖房装置が暖房能力を下げ、床が冷たく感じる不都合がある。
【０００４】
また、前記室温センサに替えて床温センサを設け、該床温センサによって検出された床温に基づく制御を行うことが考えられる。これによれば、ファンヒータ等の他の室内暖房装置を併用して所望の室温が得られたとき、床温も上昇させて床が冷たく感じる事態を防止することができる。
【０００５】
しかし、床温の上昇と室温の上昇とはかなりのタイムラグがある。このため、ファンヒータ等の他の室内暖房装置を併用しなかった場合に床温に基づく制御を行うと、床が適温になってその床温が維持されても、室内が十分に暖められない不都合がある。
【０００６】
【発明が解決しようとする課題】
かかる不都合を解消して、本発明は、他の室内暖房装置の使用・不使用に関わらず快適な床暖房を行うことができる床暖房装置を提供することを目的とする。
【０００７】
【課題を解決するための手段】
かかる目的を達成するために、本発明は、室内床に設けられた床暖房パネルと、該床暖房パネルを加熱する加熱手段と、室内温度を検出する室温検出手段と、床温度を検出する床温検出手段と、室内温度の目標値を設定する目標室温設定手段と、前記室温検出手段によって検出された室内温度が該目標室温設定手段によって設定された目標室温及びその近傍に維持されるように前記加熱手段を制御する室温制御手段とを備える床暖房装置において、床温度の目標値を設定する目標床温設定手段と、前記床温検出手段によって検出された床温度が該目標床温設定手段によって設定された目標床温及びその近傍に維持されるように前記加熱手段を制御する床温制御手段と、室温制御手段による制御又は床温制御手段による制御の何れか一方を選択する制御選択手段とを設け、該制御選択手段は、他の室内暖房装置の運転を検出する暖房運転検出手段を備え、該暖房運転検出手段によって他の室内暖房装置の運転が検出されたとき前記床温制御手段による制御を選択し、該暖房運転検出手段によって他の室内暖房装置の運転が検出されなかったとき前記室温制御手段による制御を選択することを特徴とする。
【０００８】
本発明によれば、前記室温制御手段と前記床温制御手段とを備えることによって、前記室温検出手段によって検出される室内温度に応じた制御と、前記床温検出手段によって検出される床温度に応じた制御とを選択的に行うことが可能となる。そして、他の室内暖房装置の使用時には、前記制御選択手段によって前記床温制御手段による制御を選択することで、床温を適温に上昇させて室温に対して床が冷たく感じる事態を防止することができる。また、他の室内暖房装置が不使用とされているときには、前記制御選択手段によって前記室温制御手段による制御を選択することができるので、室温に基づく制御を行って室内を十分に暖めることができる。
【００１１】
そして、前記暖房運転検出手段を設けることにより、前記制御選択手段は他の室内暖房装置の運転を即座に確認することができるので、他の室内暖房装置の使用・不使用に応じた前記室温制御手段による制御と前記床温制御手段による制御とを使用者の手作業によらず迅速に選択することができる。
【００１２】
また、本発明は、床温度の目標値を設定する目標床温設定手段と、前記床温検出手段によって検出された床温度が該目標床温設定手段によって設定された目標床温及びその近傍に維持されるように前記加熱手段を制御する床温制御手段と、室温制御手段による制御又は床温制御手段による制御の何れか一方を選択する制御選択手段とを設け、該制御選択手段は、前記室温検出手段により検出された室温と目標室温とを比較して、室温が目標室温以上であるときと、室温が目標室温より低く且つ室温と目標室温との差が所定値より小であるときとにおいては前記床温制御手段による制御を選択し、室温が目標室温より低く且つ室温と目標室温との差が所定値以上であるとき前記室温制御手段による制御を選択し、更に、該制御選択手段は、前記室温検出手段によって検出される室温から所定時間内における室温の上昇速度を算出する演算手段を備え、該演算手段によって算出された室温の上昇速度と所定の速度とを比較して、室温の上昇速度が所定の速度より大であるとき前記床温制御手段による制御を選択し、室温の上昇速度が所定の速度以下であるとき前記室温制御手段による制御を選択することを特徴とする。
【００１３】
室温が目標室温以上であるときと、室温が目標室温より低く且つ室温と目標室温との差が所定値より小であるときには、室温が十分に暖められているにも関わらず、使用者が床の冷たさを感じたために床暖房を開始したと考えられる。従って、制御選択手段は、床温制御手段による制御を選択し、床温度が目標床温となるようにして床温度を快適な温度に上昇させることができる。なお、室温が目標室温より低く且つ室温と目標室温との差が所定値以上のときには、室温が比較的低く、使用者が室温に寒さを感じたために床暖房を開始したと考えられる。従って、室内温度を上昇させる必要があるので、制御選択手段は、室温制御手段を選択して室内温度が目標室温になるように制御を行う。
【００１４】
また、他の室内暖房装置を併用して床暖房を行った場合の室温の上昇速度は、床暖房のみによる室温の上昇速度よりも大となるので、その速度が所定の速度より大となったときには他の室内暖房装置を併用していることが判断できる。このことから、所定時間内における室温の上昇速度が所定の速度より大となったときには前記床温制御手段による制御を選択し、他の室内暖房装置を併用しているために床が冷たいうちに床暖房運転の暖房能力が下がる事態を防止して快適な床暖房を行うことができる。
【００１５】
また、このとき、前記床温制御手段による制御が行われ、前記床温検出手段によって検出された床温度が所定温度以上となったとき、前記制御選択手段は、前記室温制御手段による制御を選択することが好ましい。これによって、既に室温が十分に暖められているときに、前記床温制御手段による制御によって床温が十分に上昇すれば、室温に対して床が冷たく感じられることがないので、その後の制御を前記室温制御手段によって行うことで、不必要な床暖房を行って室温が過剰に上昇する事態を防止することができ、快適な室温を得ることができる。
【００２０】
【発明の実施の形態】
本発明の一実施形態を図面に基づいて説明する。図１は本実施形態の床暖房装置の構成を模式的に示す説明図、図２は各制御手段の概略構成を示すブロック図、図３は制御選択手段の作動を示すフローチャートである。
【００２１】
本実施形態の床暖房装置１は、図１に示すように、室内に敷設された床暖房パネル２と、該床暖房パネル２を加熱する加熱手段である給湯装置３とによって構成されている。該床暖房パネル２は、温水配管４を介して前記給湯装置３に接続されており、内部に温水が流通するようになっている。該温水配管４の上流部には電磁式の開閉弁５が設けられており、開閉弁５の開閉によって床暖房パネル２への温水の供給・停止が行われる。前記給湯装置３は、一定温度（例えば６０度）の温水を床暖房パネル２に供給する。また、床暖房パネル２が敷設された室内壁面には、床暖房運転を操作するための操作パネル及び表示パネル（図示せず）を備えるリモートコントローラ６が設置されている。該床暖房装置１は、前記開閉弁５を開閉制御することにより、床暖房パネル２を介して温水による室内の暖房を行う。
【００２２】
前記リモートコントローラ６には、室内の温度を検出する室温センサ（室温検出手段）７と、床暖房パネル２の表面の温度を検出する床温センサ（床温検出手段）８とが備えられている。該床温センサ８は、床暖房パネル２に指向して該床暖房パネル２の表面温度を赤外線により検出するものである。該床温センサ８を赤外線式としたことにより、例えば図示しないが床暖房パネル２の表面に温度センサを接触させて該温度センサとリモートコントローラ６とをリード線を介して接続することが不要とされる。
【００２３】
また、該床暖房装置１は、図２に示すように、暖房運転制御手段９を備えている。該暖房運転制御手段９は、室温に応じて前記給湯装置３の運転及び開閉弁５の開閉を制御する室温制御手段１０と、床温に応じて前記給湯装置３の運転及び開閉弁５の開閉を制御する床温制御手段１１とを備えている。室温制御手段１０は、前記室温センサ７と目標室温を設定するための目標室温設定手段１２とに接続され、前記室温センサ７によって検出された室内温度が該目標室温設定手段１２によって設定された目標室温及びその近傍に維持されるように前記開閉弁５の開閉を制御する。床温制御手段１１は、前記床温センサ８と目標床温を設定するための目標床温設定手段１３とに接続され、前記床温センサ８によって検出された床温度が該目標床温設定手段１３によって設定された目標床温となるように前記開閉弁５の開閉を制御する。
【００２４】
更に、該暖房運転制御手段９は、室温制御手段１０による制御が行われる所謂室温優先運転モードと、床温制御手段１１による制御が行われる所謂床温優先運転モードとを選択する制御選択手段１４を備えている。該制御選択手段１４は、前記室温センサ７と前記目標室温設定手段１２とに接続されており、前記室温センサ７や前記目標室温設定手段１２から得られる値に基づく後述の比較データを算出する演算手段１５と、基準となる単位時間当たりの室温の上昇速度が記憶された記憶手段１６と、室温センサ７から得られた室温と前記比較データとの比較や、室温センサ７から得られた室温の単位時間当たりの上昇速度と前記基準上昇速度との比較を行う比較手段１７とを備えている。
【００２５】
前記演算手段１５は、前記目標室温設定手段１２によって設定された目標室温から所定の値（本実施形態においては５℃）を減算して第１の比較データを算出する。また、該演算手段１５は、室温センサ７から得られた室温の単位時間当たりの上昇速度を算出して第２の比較データとする。
【００２６】
なお、床暖房運転が開始されたときに前記制御選択手段１４により室温優先運転モードが選択されると、室温制御手段１０は、所定時間（例えば３０分間）又は室温が目標温度になるまで開閉弁５を開弁状態に維持するホットダッシュ運転を行う。また、床暖房運転が開始されたときに前記制御選択手段１４により床温優先運転モードが選択されると、床温制御手段１１は、所定時間（例えば３０分間）又は床温が目標温度になるまで開閉弁５を開弁状態に維持するホットダッシュ運転を行う。
【００２７】
次に、本実施形態の床暖房装置における暖房運転制御手段９の作動を図２を参照しつつ図３に基づいて説明する。まず、ＳＴＥＰ１において床暖房運転が開始されると、制御選択手段１４の演算手段１５により前記第１の比較データ（設定室温−５℃）が算出される。次いで、ＳＴＥＰ２において、比較手段１７による室温センサ７から得られた室温と第１の比較データとの比較が行われる。このとき、室温センサ７から得られた室温が第１の比較データの値以下であるとき（即ち、室温が目標室温より低く且つ室温と目標室温との差が５℃以上であるとき）には、室温が比較的低く室内温度を上昇させる必要があるとみなして、制御選択手段１４は室温制御手段１０による制御を選択する。これにより、ＳＴＥＰ３において室温優先運転モードによる運転が行われ、ＳＴＥＰ４において３０分間又は室温が設定室温になるまでホットダッシュ運転が行われる。
【００２８】
一方、ＳＴＥＰ２において室温センサ７から得られた室温が第１の比較データの値より高温であるとき（即ち、室温が目標室温以上であるときと、室温が目標室温より低く且つ室温と目標室温との差が５℃より小であるとき）には、室温が十分に暖められているにも関わらず、使用者が床の冷たさを感じたために床暖房を開始したとみなして、制御選択手段１４は床温制御手段１１による制御を選択する。これにより、ＳＴＥＰ５において床温優先運転モードによる運転が行われ、ＳＴＥＰ６において３０分間又は床温が設定室温になるまでホットダッシュ運転が行われる。
【００２９】
また、ＳＴＥＰ４のホットダッシュ運転又はＳＴＥＰ６のホットダッシュ運転が行われているとき、前記演算手段１５は第２の比較データとして、室温センサ７によって検出された室温の単位時間当たりの上昇速度を算出する。
【００３０】
続いて、ＳＴＥＰ４のホットダッシュ運転又はＳＴＥＰ６のホットダッシュ運転が終了すると、ＳＴＥＰ７において前記比較手段１７により第２の比較データである室温の上昇速度と、前記記憶手段１６に予め記憶されている基準上昇速度との比較が行われる。前記記憶手段１６に記憶されている基準上昇速度は、ファンヒータ等の他の暖房装置が使用されていない状態での床暖房運転時に採取された室温の上昇速度である。ＳＴＥＰ７において演算手段１５が算出した室温上昇が基準上昇速度以下であった場合には、他の暖房装置が使用されていない状態か又は室内温度が極端に低い場合であるとして、制御選択手段１４は室温制御手段１０による制御を選択する。これにより、ＳＴＥＰ８において室温優先運転モードによる運転が行われる。
【００３１】
一方、ＳＴＥＰ７において演算手段１５が算出した室温上昇が基準上昇速度よりも大であった場合には、他の暖房装置が使用されている可能性があるとして、制御選択手段１４は床温制御手段１１による制御を選択する。これにより、ＳＴＥＰ９において床温優先運転モードによる運転が行われる。
【００３３】
また、図示しないが、前記制御選択手段１４に他の室内暖房装置の運転を検出する暖房運転検出手段を設けてもよい。暖房運転検出手段としては、例えば、他の室内暖房装置の運転時に操作されるＯＮ／ＯＦＦスイッチの操作を検出できるように構成することで、他の室内暖房装置の運転を即座に検出することができ、室温制御手段１０と床温制御手段１１との選択を確実に行うことができる。
【図面の簡単な説明】
【図１】本発明の一実施形態の床暖房装置の構成を模式的に示す説明図。
【図２】暖房運転制御手段の概略構成を示すブロック図。
【図３】暖房運転制御手段の作動を示すフローチャート。
【符号の説明】
１…床暖房装置、２…床暖房パネル、３…給湯装置（加熱手段）、６…リモートコントローラ、７…室温センサ（室温検出手段）、８…床温センサ（床温検出手段）、１０…室温制御手段、１１…床温制御手段、１２…目標室温設定手段、１３…目標床温設定手段、１４…制御選択手段、１５…演算手段、１７…比較手段。
【図１】
0003961752.tif 000002
【図２】
0003961752.tif 000003
【図３】
0003961752.tif 000004